(57)【要約】【課題】本発明は、筒部内周面に複数のレンズを設けたレンズユニットにおいて、接着剤を用いることなくレンズを鏡筒内に保持することで小型化を実現し、同時にレンズの位置精度を高めたレンズユニットを提供することを目的とする。【解決手段】そしてこの目的を達成するために本発明は、レンズ１０２の筒部１０２ｂにレンズ１０３を押圧挿入し、レンズ１０２のフランジ部１０２ｃと鏡筒１０１の内周部１０１ｃをテーパー形状としたものであり、これにより、小型化を実現し、かつレンズの位置精度を高めたレンズユニットを提供できる。【選択図】図２
2007052096.tif 000002
【特許請求の範囲】
【請求項１】
鏡筒と、この鏡筒内に設けられ、フランジ部と筒部を有する第一のレンズと、第二のレンズとを備え、前記第一のレンズ筒部に第二のレンズを押圧挿入し、前記第一のレンズのフランジ部と前記鏡筒の内周部をテーパー形状としたことを特徴とするレンズユニット。
【請求項２】
第二のレンズの硬度を、第一のレンズの硬度よりも高くしたことを特徴とする請求項１記載のレンズユニット。
【請求項３】
鏡筒の内周部と第一のレンズのフランジ部は、鏡筒の第一の開口部から第二の開口部の方向に向かって拡開するテーパー形状とし、鏡筒の内周部で第一のレンズのフランジ部を弾性保持したことを特徴とする請求項１記載のレンズユニット。
【請求項４】
鏡筒の内周部は弾性拡径する形状であって、この鏡筒の内周部のテーパー角は第一レンズ外周のテーパー角と同じ角度またはそれよりも小さい角度としたことを特徴とする請求項３記載のレンズユニット。
【請求項５】
鏡筒の内周部と、第一のレンズのフランジ部外周部と、第一のレンズの筒部の内周部の少なくとも一つを粗面としたことを特徴とする請求項４記載のレンズユニット。
【発明の詳細な説明】
【技術分野】
【０００１】
本発明は、コンパクトデジタルカメラやモバイル用カメラ等に用いられるレンズユニットに関するものである。
【背景技術】
【０００２】
従来のレンズユニットについて図３を参照しながら説明する。
【０００３】
図３は従来のレンズユニットを示す図である。
【０００４】
図３において、１０はレンズ、１１は鏡筒、１２は支持部、１３は間隔、１４は接着剤である。このような構成において、レンズ１０の外周面と鏡筒１１内周面によって形成される間隔１３に接着剤１４を充填し、レンズ１０を光軸方向で支持部１２において位置決めすることでレンズ１０と鏡筒１１を一体化させていた。
【０００５】
例えばその先行技術としては下記の特許文献が挙げられる。
【特許文献１】特開平２−６６５０６号公報
【発明の開示】
【発明が解決しようとする課題】
【０００６】
しかしながら前記従来の構成では、以下のような問題を有していた。つまり、小型化が求められるレンズユニットにおいては、レンズの焦点距離が重要になることから、鏡筒１１内におけるレンズ１０の位置精度が高度に要求されるものである。しかし、従来技術では、接着剤１４の硬化時に発生するガスがレンズユニット内部に充満し、硬化時においてはレンズ１０を持ち上げてしまい、レンズ１０の位置精度が低下するといった問題が生じていた。また、接着剤１４が間隔１３からはみ出し、レンズユニットの信頼性が低下してしまうという問題も有していた。
【０００７】
そこで本発明は、鏡筒内周面に複数のレンズを設けたレンズユニットにおいて、小型化を実現し、同時にレンズの位置精度を高めたレンズユニットを提供することを目的とする。
【課題を解決するための手段】
【０００８】
そしてこのような目的を達成するために本発明は、第一のレンズの筒部に第二のレンズを押圧挿入したものである。
【発明の効果】
【０００９】
この構成により、第一のレンズに第二のレンズを押圧挿入することによって、接着剤を用いることなく複数のレンズを鏡筒内に組み込むことができる。従って、接着剤の硬化時におけるレンズの位置ズレを防ぎ、小型でかつ位置精度を高めたレンズユニットを提供することができる。
【発明を実施するための最良の形態】
【００１０】
（実施の形態１）
以下、実施の形態１におけるレンズユニットにおいて、図を用いて説明する。
【００１１】
図１は本実施の形態におけるレンズユニットの斜視図、図２は図１のＩ−Ｉ線でレンズユニットを切断した場合の断面図である。
【００１２】
図１、図２に示すごとく、本実施の形態のレンズユニットはポリカーボネート等の樹脂からなる鏡筒１０１と、鏡筒１０１内に取り付けられたレンズ１０２、１０３とを備えている。
【００１３】
ここで、レンズ１０２はレンズ部１０２ａを備えた有天円筒状とし、この有天円筒状のレンズ１０２の筒部１０２ｂ内に、円板状のレンズ１０３の外周でレンズ１０２の筒部１０２ｂ内周を円周方向外方に押圧するように押し込んだ構成となっている。このように、レンズ１０２にレンズ１０３を押圧挿入することにより、より低背化を実現したレンズユニットを提供できる。
【００１４】
また、レンズ１０３をレンズ１０２よりも硬くすることで、レンズ１０３の外周部にレンズ１０２の筒部１０２ｂを押し込む際に、レンズ１０２の筒部の内部を変形させ、この押し込み作業を行いやすくすることができる。また、押し込んだ後にレンズ１０３を安定して保持することが可能となる。
【００１５】
加えて、レンズ１０２の筒部１０２ｂの内周部に支持部を設けて、レンズ１０３の外周部を当接させることもできる。この構成により、より確実に鏡筒内でのレンズ１０２、レンズ１０３の位置決めが可能となる。
【００１６】
また、鏡筒１０１の内周部１０１ｃはテーパー形状に形成し、レンズ１０２の外周にもテーパー形状のフランジ部１０２ｃを設けた。ここで、鏡筒１０１の内周部１０１ｃとレンズ１０２のフランジ部１０２ｃは、鏡筒の開口部１０１ａから開口部１０１ｂに向かって径が広がるテーパー形状とした。この構成により、開口部１０１ｂからレンズ１０２を挿入し、鏡筒１０１内に保持する際に、定位置に精度よく挿入、保持することが可能となる。
【００１７】
加えて、鏡筒１０１の内周部１０１ｃのテーパー角は、レンズ１０２のフランジ部１０２ｃのテーパー角と同じ角度か、またはそれよりも小さい角度とする。
【００１８】
この構成により、鏡筒１０１にレンズ１０２を確実に精度よく挿入することができ、前記鏡筒１０１の内周部１０１ｃでレンズ１０２のフランジ部１０２ｃを精度よく定位置に弾性保持することができる。
【００１９】
また、鏡筒１０１の内周部と、レンズ１０２のフランジ部１０２ｃの外周部と、レンズ１０２の筒部１０２ｂの内周部を粗面として形成する。ただし、レンズ１０２がガラス製である場合はレンズ１０２に粗面を形成しにくいため、鏡筒１０１の内周面にのみ粗面を形成してもよい。
【００２０】
この構成により、レンズ１０２の筒部１０２ｂ内周部にレンズ１０３を押圧挿入し、鏡筒１０１内周部にレンズ１０２を押圧挿入した時、それぞれの接触面が噛み付き状態となって、レンズ１０２、レンズ１０３を鏡筒１０１内に安定させ保持できる。
【産業上の利用可能性】
【００２１】
本発明にかかるレンズユニットは、接着剤を用いることなくレンズの位置精度を高めたレンズユニットを提供できるという効果を有し、レンズユニットの小型化とレンズの高度な位置精度が求められるコンパクトデジタルカメラやモバイルカメラ等に有用である。
【図面の簡単な説明】
【００２２】
【図１】本発明のレンズユニットの一実施の形態を示す斜視図
【図２】図１のＩ−Ｉ線断面図
【図３】従来のレンズユニットの断面図
【符号の説明】
【００２３】
１０１  鏡筒
１０１ａ  開口部
１０１ｂ  開口部
１０１ｃ  内周部
１０２  レンズ
１０２ａ  レンズ部
１０２ｂ  筒部
１０２ｃ  フランジ部
１０３  レンズ
【図１】
2007052096.tif 000003
【図２】
2007052096.tif 000004
【図３】
2007052096.tif 000005